(57)【要約】【課題】さまざまなシンク機器との組み合わせにおいて安定動作可能なソース機器を提供する。【解決手段】インタフェース装置１００は、画像データを外部のシンク機器に出力するソース機器３００に搭載される。コネクタ１０２は、着脱可能なケーブルを介して、シンク機器と接続される。ソース側コントローラ１０６は、コネクタ１０２およびケーブルを介してシンク機器のシンク側コントローラと接続され、通信する。電源回路１０４は、コネクタ１０２およびケーブルを介して、シンク機器のシンク側コントローラに電源電圧ＶＤＤを供給する。電源回路１０４は、最大出力電流ＩＯＵＴが可変に構成されている。ソース側コントローラ１０６は、最大出力電流をソース機器３００の種類に応じて設定する。【選択図】図４
2017188732.tif 000002
【特許請求の範囲】
【請求項１】
画像データを外部のシンク機器に出力するソース機器に搭載されるインタフェース装置であって、
着脱可能なケーブルを介して、前記シンク機器と接続されるコネクタと、
前記コネクタおよび前記ケーブルを介して前記シンク機器のシンク側コントローラと接続され、通信するソース側コントローラと、
前記コネクタおよび前記ケーブルを介して、前記シンク機器のシンク側コントローラに電源電圧を供給する電源回路と、
を備え、
前記電源回路は、最大出力電流が可変に構成されており、
前記ソース側コントローラは、前記最大出力電流を前記ソース機器の種類に応じて設定することを特徴とするインタフェース装置。
【請求項２】
前記ソース機器は、ＨＤＭＩ（High-Definition Multimedia Interface）規格またはDisplayPort規格に準拠しており、
前記ソース側コントローラは、ＥＤＩＤ（Extended Display Identification Data）の拡張ブロックの情報にもとづいて、前記電源回路の最大出力電流を設定することを特徴とする請求項１に記載のインタフェース装置。
【請求項３】
前記ソース機器は、ＨＤＭＩ（High-Definition Multimedia Interface）規格に準拠しており、
前記ソース側コントローラは、ＥＤＩＤの拡張ブロックの情報にもとづいて、前記シンク機器がＨＤＭＩ規格準拠か否かを判定し、前記ＨＤＭＩ規格準拠である場合に、前記最大出力電流を規格値のままとし、前記ＨＤＭＩ規格準拠でない場合に、前記最大出力電流を前記規格値より高い値に変更することを特徴とする請求項１に記載のインタフェース装置。
【請求項４】
前記ソース側コントローラは、前記拡張ブロックにオーディオ情報が含まれるか否かににもとづいて、前記シンク機器がＨＤＭＩ規格準拠か否かを判定することを特徴とする請求項３に記載のインタフェース装置。
【請求項５】
前記ソース機器は、DisplayPort規格に準拠しており、
前記ソース側コントローラは、ＤＰＣＤ（Display Port Configuration Data）に含まれる情報にもとづいて、前記シンク機器がDisplayPort規格準拠か否かを判定し、前記DisplayPort規格準拠である場合に、前記最大出力電流を規格値のままとし、前記DisplayPort規格準拠でない場合に、前記最大出力電流を前記規格値より高い値に変更することを特徴とする請求項１に記載のインタフェース装置。
【請求項６】
前記ソース側コントローラは、ＥＤＩＤ通信に失敗したとき、前記最大出力電流を規格値のままとすることを特徴とする請求項１から５のいずれかに記載のインタフェース装置。
【請求項７】
画像データを外部のシンク機器に出力するＨＤＭＩ準拠のソース機器に搭載されるインタフェース装置であって、
ケーブルを介して前記シンク機器と接続されるＨＤＭＩコネクタと、
前記ＨＤＭＩコネクタおよびケーブルを介して前記シンク機器のシンク側コントローラと接続され、ＥＤＩＤ（Extended Display Identification Data）通信するソース側コントローラと、
前記ＨＤＭＩコネクタおよび前記ケーブルを介して、前記シンク機器のシンク側コントローラに電源電圧を供給する電源回路であって、最大出力電流が可変である電源回路と、
を備え、
前記ソース側コントローラは、前記ソース機器がＨＤＭＩ以外の規格に準拠するとき、前記電源回路の最大出力電流を、規格値より高い値に変更することを特徴とするインタフェース装置。
【請求項８】
画像データを外部のシンク機器に出力するDisplayPort規格準拠のソース機器に搭載されるインタフェース装置であって、
ケーブルを介して前記シンク機器と接続されるDisplayPortコネクタと、
前記DisplayPortコネクタおよびケーブルを介して前記シンク機器のシンク側コントローラと接続され、通信するソース側コントローラと、
前記DisplayPortコネクタおよび前記ケーブルを介して、前記シンク機器のシンク側コントローラに電源電圧を供給する電源回路であって、最大出力電流が可変である電源回路と、
を備え、
前記ソース側コントローラは、前記ソース機器がDisplayPort以外の規格に準拠するとき、前記電源回路の最大出力電流を、規格値より高い値に変更することを特徴とするインタフェース装置。
【請求項９】
画像データを外部のシンク機器に出力するソース機器に搭載されるインタフェース装置であって、
着脱可能なケーブルを介して、前記シンク機器と接続されるコネクタと、
前記コネクタおよび前記ケーブルを介して前記シンク機器のシンク側コントローラと接続され、通信するソース側コントローラと、
前記コネクタおよび前記ケーブルを介して、前記シンク機器のシンク側コントローラに電源電圧を供給する電源回路と、
を備え、
前記電源回路は、最大出力電流が可変に構成されており、
前記ソース側コントローラは、前記シンク機器の規格が、前記ソース機器の規格と異なっている場合に、前記最大出力電流を、前記ソース機器の規格で規定される値より高い値に変更することを特徴とするインタフェース装置。
【請求項１０】
請求項１から９のいずれかに記載のインタフェース装置を備えることを特徴とする電子機器。
【請求項１１】
画像データを外部のシンク機器に出力するソース機器の制御方法であって、
着脱可能なケーブルを介してコネクタに前記シンク機器が接続されたことを検出するステップと、
供給電流の最大値を規格値とした状態で、前記コネクタおよび前記ケーブルを介して、前記シンク機器のシンク側コントローラに電源電圧を供給するステップと、
前記コネクタおよび前記ケーブルを介して前記シンク機器のシンク側コントローラとＥＤＩＤ（Extended Display Identification Data）通信するステップと、
前記ＥＤＩＤ通信の結果にもとづいて、前記供給電流の最大値を修正するステップと、
を備えることを特徴とする制御方法。
【請求項１２】
前記ＥＤＩＤ通信の結果、前記ソース機器が準拠する規格が、前記シンク機器が準拠する規格と一致しないとき、前記供給電流の最大値を高くすることを特徴とする請求項１１に記載の制御方法。
【請求項１３】
前記ＥＤＩＤ通信が失敗したとき、前記供給電流の最大値を規格値に維持するステップをさらに備えることを特徴とする請求項１１または１２に記載の制御方法。
【発明の詳細な説明】
【技術分野】
【０００１】
本発明は、ディスプレイのインタフェース装置に関する。
【背景技術】
【０００２】
近年、マルチメディア機器のインタフェースとして、ＨＤＭＩ（登録商標）（High-Definition Multimedia Interface）規格、ＤＶＩ（Digital Visual Interface）規格、DisplayPort規格などが広く普及している。これらの規格では、接続される機器同士（ソース機器、シンク機器）が互いにＥＤＩＤ（Extended Display Identification Data）通信によって認証し合った後に、映像、音声などのデータストリームを暗号化して伝送する。
【０００３】
図１は、ソース機器とシンク機器のインタフェースのブロック図である。ここではＨＤＭＩを例として説明する。ソース機器３００ｒはインタフェース装置１００ｒを備え、シンク機器３０４はインタフェース装置２００を備える。ソース機器３００ｒとシンク機器３０４の間は、ＨＤＭＩケーブル３０２を介して接続される。
【０００４】
コネクタ１０２、コネクタ２０２はそれぞれ、５Ｖ電源ピン、ＨＰＤ（Hot Plug Detection）ピン、ＳＤＡ（シリアルデータ）ピン、ＳＣＬ（シリアルクロック）ピンを有しており、対応するピン同士が、ＨＤＭＩケーブル３０２を介して電気的に接続される。
【０００５】
インタフェース装置１００ｒは、コネクタ１０２、電源回路１０４、ソース側コントローラ１０６を備える。電源回路１０４は、５Ｖの電源電圧ＶＤＤを生成し、シンク側コントローラ２０４に供給する。シンク側コントローラ２０４は、ソース機器３００ｒから供給される電源電圧ＶＤＤにもとづいて動作し、これによりシンク機器３０４の電源がオフの状態においても、インタフェース装置１００ｒとインタフェース装置２００の通信が可能となる。
【０００６】
ソース側コントローラ１０６は、シンク側コントローラ２０４と接続されている。ソース側コントローラ１０６は、ＨＰＤピンの状態にもとづいて、シンク機器３０４の接続を検出する。そしてＳＤＡピンおよびＳＣＬピンを利用したＥＤＩＤ通信を行い、シンク機器３０４の表示装置に関する情報、たとえば解像度などを取得する。
【先行技術文献】
【特許文献】
【０００７】
【特許文献１】特開２０１５−１６５６１７号公報
【特許文献２】特開２００９−１００２１９号公報
【発明の概要】
【発明が解決しようとする課題】
【０００８】
本発明者は、図１のインタフェース装置１００ｒについて検討した結果、以下の課題を認識するに至った。なおこの課題を当業者の一般的な認識と捉えてはならない。
【０００９】
図２は、ソース機器３００ｒの別の使用形態を示す図である。画像データのインタフェースとしては、ＨＤＭＩのほかに、ＤＶＩ、DisplayPort、ＶＧＡなどさまざまな規格が存在する。異なる規格のソース機器３００ｒとシンク機器３１０とは、変換アダプタ（ドングルともいう）３０６を介して接続可能である。たとえばシンク機器３１０がＤＶＩ規格に準拠する場合、ＨＤＭＩ／ＤＶＩ変換アダプタが使用され、変換アダプタ３０６とソース機器３００ｒの間は、ＨＤＭＩケーブル３０２で接続され、変換アダプタ３０６とシンク機器３１０の間は、ＤＶＩケーブル３０８を介して接続されることとなる。
【００１０】
図３は、図２の使用形態において生ずる問題を説明する波形図である。時刻ｔ０に、変換アダプタ３０６およびシンク機器３１０の接続が検出される。そして時刻ｔ１に、電源電圧ＶＤＤが変換アダプタ３０６およびシンク機器３１０に供給される。時刻ｔ２に、ＥＤＩＤ通信が開始し、電源回路１０４の出力電流ＩＯＵＴが増加する。
【００１１】
ここで、ＨＤＭＩ規格では、電源回路１０４の出力電流ＩＯＵＴには、最大許容電流（単に最大電流という）ＩＭＡＸが規定されており、出力電流ＩＯＵＴが最大電流ＩＭＡＸを超えると、電源回路１０４の出力に設けられるロードスイッチ（不図示）がオフとなり、回路が保護される。
【００１２】
ここで変換アダプタ３０６には、電源回路１０４の負荷となるＩＣが内蔵される場合がある。このＩＣに流れる電流が大きいと、時刻ｔ３に示すように、ＩＣおよびシンク側コントローラ２０４の消費電流の合計が最大電流ＩＭＡＸを超え、電源電圧ＶＤＤが遮断されてしまい、ＥＤＩＤ通信が中断されてしまいリンクが確立できず、あるいは認証が完了できず、シンク機器３１０に画像データを送信できなくなってしまう。
【００１３】
本発明はかかる課題に鑑みてなされたものであり、そのある態様の例示的な目的のひとつは、さまざまなシンク機器との組み合わせにおいて安定動作可能なソース機器およびインタフェース装置の提供にある。
【課題を解決するための手段】
【００１４】
本発明のある態様は、画像データを外部のシンク機器に出力するソース機器に搭載されるインタフェース装置に関する。インタフェース装置は、着脱可能なケーブルを介してシンク機器と接続されるコネクタと、コネクタおよびケーブルを介してシンク機器のシンク側コントローラと接続され、通信するソース側コントローラと、コネクタおよびケーブルを介してシンク機器のシンク側コントローラに電源電圧を供給する電源回路と、を備える。電源回路は、最大出力電流が可変に構成されており、ソース側コントローラは、最大出力電流をソース機器の種類に応じて設定する。
【００１５】
この態様によると、電源回路の負荷に応じて、最大出力電流を変更することにより、電源回路が遮断してＥＤＩＤ通信が中断されるのを防止できる。その結果、さまざまなシンク機器との組み合わせにおいて、ソース機器を安定動作させることができる。
【００１６】
ソース機器は、ＨＤＭＩ（High-Definition Multimedia Interface）規格またはDisplayPort規格に準拠しており、ソース側コントローラは、ＥＤＩＤの拡張ブロックの情報にもとづいて、電源回路の最大出力電流を設定してもよい。
【００１７】
ソース機器は、ＨＤＭＩ（High-Definition Multimedia Interface）規格に準拠しており、ソース側コントローラは、ＥＤＩＤの拡張ブロックの情報にもとづいて、シンク機器がＨＤＭＩ規格準拠か否かを判定し、ＨＤＭＩ規格準拠である場合に、最大出力電流を規格値のままとし、ＨＤＭＩ規格準拠でない場合に、最大出力電流を規格値より高い値に変更してもよい。
【００１８】
ソース側コントローラは、拡張ブロックにオーディオ情報が含まれるか否かににもとづいて、シンク機器がＨＤＭＩ規格準拠か否かを判定してもよい。オーディオ情報を参照することにより、シンク機器がＨＤＭＩ規格準拠か否かを容易に判定できる。
【００１９】
ソース機器は、DisplayPort規格に準拠してもよい。ソース側コントローラは、ＤＰＣＤ（Display Port Configuration Data）に含まれる情報にもとづいて、シンク機器がDisplayPort規格準拠か否かを判定し、DisplayPort規格準拠である場合に、最大出力電流を規格値のままとし、DisplayPort規格準拠でない場合に、最大出力電流を規格値より高い値に変更してもよい。
【００２０】
ソース側コントローラは、拡張ブロックにオーディオ情報が含まれるか否かににもとづいて、シンク機器がDisplayPort規格準拠か否かを判定してもよい。オーディオ情報を参照することにより、シンク機器がDisplayPort規格準拠か否かを容易に判定できる。
【００２１】
ソース側コントローラは、ＥＤＩＤ通信に失敗したとき、最大出力電流を規格値のままとしてもよい。通信に失敗してシンク機器の情報が得られない場合には、最大出力電流を初期とすることで、安全性を高めることができる。
【００２２】
本発明の別の態様は、電子機器である。この電子機器は、上述のいずれかのインタフェース回路を備える。
【００２３】
なお、以上の構成要素を任意に組み合わせたもの、あるいは本発明の表現を、方法、装置などの間で変換したものもまた、本発明の態様として有効である。
【発明の効果】
【００２４】
本発明のある態様によれば、さまざまなシンク機器との組み合わせにおいて安定動作が可能となる。
【図面の簡単な説明】
【００２５】
【図１】ソース機器とシンク機器のインタフェースのブロック図である。
【図２】ソース機器の別の使用形態を示す図である。
【図３】図２の使用形態において生ずる問題を説明する波形図である。
【図４】実施の形態に係るインタフェース装置を備えるソース機器のブロック図である。
【図５】図４のインタフェース装置の動作波形図である。
【図６】インタフェース装置を備えるソース機器を示す図である。
【発明を実施するための形態】
【００２６】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２７】
図４は、実施の形態に係るインタフェース装置１００を備えるソース機器３００のブロック図である。インタフェース装置１００は、コネクタ１０２、電源回路１０４、ソース側コントローラ１０６を備える。本実施の形態では、インタフェース装置１００はＨＤＭＩ規格に準拠するものとする。コネクタ１０２には、着脱可能なＨＤＭＩケーブルを介して、シンク機器が接続される。
【００２８】
ソース側コントローラ１０６は、コネクタ１０２およびＨＤＭＩケーブルを介してシンク機器のシンク側コントローラと接続され、ＥＤＩＤ（Extended Display Identification Data）通信する。ソース側コントローラ１０６は、ＳｏＣ（System-on-a-chip）あるいは組み込みコントローラ（Embedded Controller）で構成してもよい。
【００２９】
電源回路１０４は、コネクタ１０２およびＨＤＭＩケーブルを介して、シンク機器のシンク側コントローラに電源電圧ＶＤＤを供給する。ＨＤＭＩ規格においてＶＤＤ＝５Ｖである。本実施の形態において電源回路１０４は、最大出力電流ＩＭＡＸが可変に構成される。
【００３０】
より詳しくは、電源回路１０４の最大電流ＩＭＡＸは、少なくとも二値で切りかえ可能であり、そのひとつは、ＨＤＭＩ規格で規定される５００ｍＡであり、別の値は、５００ｍＡより大きく、たとえば１Ａである。
【００３１】
ソース側コントローラ１０６は、最大出力電流ＩＭＡＸをソース機器の種類（規格）に応じて設定する。
【００３２】
たとえばソース側コントローラ１０６は、ソース機器がＨＤＭＩ規格に準拠しており、したがって変換アダプタが不要である場合には、最大値ＩＭＡＸを規格値としてもよい。ソース機器がＨＤＭＩ規格以外の別の規格に準拠しており、したがって変換アダプタが必要である場合には、最大値ＩＭＡＸを規格値より大きい値に切りかえてもよい。
【００３３】
ソース側コントローラ１０６は、ＥＤＩＤの拡張ブロックの情報にもとづいて、シンク機器がＨＤＭＩ規格準拠か否かを判定し、電源回路１０４の最大出力電流ＩＭＡＸを設定することができる。より詳しくは、ソース側コントローラ１０６は、ＥＤＩＤの拡張ブロックの情報にオーディオ情報が含まれるか否かににもとづいて、シンク機器がＨＤＭＩ規格準拠か否かを判定してもよい。
【００３４】
以上がインタフェース装置１００の構成である。続いてその動作を説明する。図５は、図４のインタフェース装置１００の動作波形図である。時刻ｔ０〜ｔ２は図３と同様である。
【００３５】
時刻ｔ４に、ＥＤＩＤ通信で得られた情報にもとづいて、シンク機器の種類が判定される。そしてシンク機器がＨＤＭＩ規格に準拠している場合（i）には、最大電流ＩＭＡＸは、規格値の５００ｍＡが維持される。この場合、電源回路１０４の負荷として変換アダプタが存在しないため、出力電流ＩＯＵＴは（i）で示すように、ＨＤＭＩ規格で規定される規格値ＩＭＡＸ＝５００ｍＡ以下となり、電源電圧ＶＤＤのドロップは生じない。
【００３６】
一方、シンク機器がＨＤＭＩ規格に準拠していない場合（ii）には、最大電流ＩＭＡＸは、規格値の５００ｍＡより高い１Ａに変更される。電源回路１０４の負荷として、シンク機器に加えて変換アダプタが存在するため、出力電流ＩＯＵＴは（ii）で示すように、ＨＤＭＩ規格で規定される５００ｍＡを超える場合があるが、最大電流ＩＭＡＸが１Ａに変更されているため、出力電流ＩＯＵＴは最大電流ＩＭＡＸより低くなり、電源電圧ＶＤＤのドロップは生じない。
【００３７】
このように、実施の形態に係るインタフェース装置１００によれば、消費電流が大きな変換アダプタが接続された場合においても、シンク機器との間のＥＤＩＤ通信を安定的に行ってリンクを確立でき、画像データの送信が可能となる。
【００３８】
ソース側コントローラ１０６は、ＥＤＩＤ通信に失敗したときには、最大出力電流ＩＭＡＸを規格値のままとすることが好ましい。通信に失敗してシンク機器の情報が得られない場合には、最大出力電流を初期とすることで、安全性を高めることができる。
【００３９】
図６は、インタフェース装置１００を備えるソース機器３００を示す図である。ソース機器３００は、たとえばノートＰＣである。なお電子機器はそれに限定されず、デスクトップＰＣ、タブレット端末、スマートホン、デジタルカメラ、デジタルビデオカメラ、ＤＶＤプレイヤやブルーレイプレイヤ、ビデオレコーダなどであってもよい。
【００４０】
シンク機器３０４は、ＨＤＭＩ規格に準拠する電子機器であり、ディスプレイ装置やテレビであってもよい。ソース機器３００とシンク機器３０４とは、ＨＤＭＩケーブル３０２を介して接続される。シンク機器３１０は、ＨＤＭＩ規格以外に準拠した電子機器であり、たとえばタブレット端末やスマートホンであってもよい。ソース機器３００とシンク機器３１０とは、ＨＤＭＩケーブル３０２、変換アダプタ３０６、ケーブル３０８を介して接続される。
【００４１】
実施の形態に係るインタフェース装置１００を用いることにより、さまざまなシンク機器３０４や３１０に対して、安定的に画像データを出力することができる。
【００４２】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００４３】
（第１変形例）
実施の形態では、ソース機器３００がＨＤＭＩ規格に準拠する場合を説明したが、ソース機器３００は、DisplayPort規格に準拠してもよい。この場合においてもソース側コントローラ１０６の処理はＨＤＭＩの場合と同様でよい。
【００４４】
ソース機器のDisplayPortから別の規格のシンク機器にデータを伝送する場合、ソース側コントローラ１０６によって、ＥＤＩＤとは別に、ＤＰＣＤ（Display Port Configuration Data）が読み出される。Downstream Portが存在する場合、そのポートがどの規格に準拠しているか示すレジスタが用意されている。したがってこの情報にもとづいて、シンク機器を特定し、最大電流を設定してもよい。
【００４５】
（第２変形例）
実施の形態では、接続相手のシンク機器の情報にもとづいて、最大出力電流ＩＭＡＸを初期と、それより高い値の二値で切りかえたがそれに限定されない。最大出力電流ＩＭＡＸを三値以上で切りかえ可能とし、シンク機器に応じて、最適なひとつを選択するようにしてもよい。
【００４６】
また、規格で規定される規格値と、別の値の関係は特に限定されず、場合によっては、最大出力電流ＩＭＡＸを、規格で規定される規格値よりも小さい値に設定可能としてもよい。
【００４７】
（第３変形例）
実施の形態では、拡張ブロックのオーディオ情報の有無にもとづいて、シンク機器を判定したが本発明はそれに限定されない。たとえば、ソース側コントローラ１０６に、シンク機器のＩＤ（識別番号）と、規格の関係を示すテーブルを保持しておき、ＩＤ番号にもとづいて、規格を判定してもよい。
【００４８】
（第４変形例）
本発明は、すでに策定されている規格のみでなく、将来策定される規格にも適用可能である。また、変換アダプタ３０６からの情報を取得できる場合には、その情報を考慮して、最大出力電流ＩＭＡＸを設定してもよい。
【００４９】
実施の形態にもとづき本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００５０】
１００…インタフェース装置、１０２…コネクタ、１０４…電源回路、１０６…ソース側コントローラ、２００…インタフェース装置、２０２…コネクタ、２０４…シンク側コントローラ、３００…ソース機器、３０２…ＨＤＭＩケーブル、３０４…シンク機器、３０６…変換アダプタ、３０８…ケーブル、３１０…シンク機器。
【図１】
2017188732.tif 000003
【図２】
2017188732.tif 000004
【図３】
2017188732.tif 000005
【図４】
2017188732.tif 000006
【図５】
2017188732.tif 000007
【図６】
2017188732.tif 000008